(57)【要約】【課題】光源装置が発生する光が照射面に対して適切に照射されていることを検知可能な光源装置を提供する。【解決手段】光源装置１０は、複数の発光素子２１、駆動部１２、検知部１３、制御部１５、および切替部３０を有する。複数の発光素子２１は、発光ダイオード２１Ａおよび発光受光ダイオード２１Ｂを含む。発光ダイオード２１Ａおよび発光受光ダイオード２１Ｂは、駆動部１２が電流を供給するとき発光し、発光受光ダイオード２１Ｂは、受光による発生する受光電流を検知部１３に出力する。【選択図】図２
2014090795.tif 000002
【特許請求の範囲】
【請求項１】
複数の発光素子を有する光源装置であって、
前記光源装置は、駆動部および検知部を有し、
前記複数の発光素子は、少なくとも１個の発光受光素子を含み、
前記発光受光素子は、前記駆動部からの駆動電流を受けて点灯し、
前記発光受光素子は、受光により発生する受光電流を前記検知部に出力する
光源装置。
【請求項２】
前記光源装置は、切替部を有し、
前記切替部は、前記発光受光素子を前記駆動部および前記検知部のいずれかに接続する
請求項１に記載の光源装置。
【請求項３】
前記光源装置は、制御部を有し、
前記制御部は、前記発光受光素子の前記複数の発光素子の中における位置を決定する
請求項１または２に記載の光源装置。
【請求項４】
前記制御部は、前記検知部が前記発光受光素子の受光電流を検知できないとき、前記複数の発光素子の中における前記発光受光素子の位置を変更する
請求項３に記載の光源装置。
【請求項５】
照射面に光を照射する光源装置であって、
前記光源装置は、複数の発光受光素子、駆動部、および検知部を有し、
前記複数の発光受光素子は、前記駆動部からの駆動電流を受けて点灯する発光動作を行い、
前記複数の発光受光素子は、受光により発生する受光電流を前記検知部に出力する受光動作を行い、
前記光源装置は、制御部を有し、
前記制御部は、前記複数の発光受光素子の少なくとも一部を発光動作させ、
前記制御部は、前記複数の発光受光素子の少なくとも一部が発光動作を行なっているとき、前記複数の発光受光素子の少なくとも一部を受光動作させる
光源装置。
【請求項６】
前記制御部は、前記複数の発光受光素子の発光動作および消灯を周期的に繰り返す制御をおこない、
前記制御部は、前記複数の発光受光素子の少なくとも一部の発光動作と複数の発光受光素子の少なくとも一部の受光動作を同期させて制御する
請求項５に記載の光源装置。
【請求項７】
前記発光素子は、発光ダイオードであり、
前記発光受光素子は、発光受光ダイオードである
請求項１〜４のいずれか一項に記載の光源装置。
【請求項８】
前記発光受光素子は、発光受光ダイオードである
請求項５または６に記載の光源装置。
【発明の詳細な説明】
【技術分野】
【０００１】
本発明は、近赤外線光を発生する光源装置に関する。
【背景技術】
【０００２】
従来の育毛装置用の光源装置は、人体の皮膚に近赤外線光を照射して育毛作用を促進させる。光源装置は、照射目的の箇所に対して所定の照射量を所定時間照射する。なお、特許文献１は、従来の光源装置の一例を開示している。
【先行技術文献】
【特許文献】
【０００３】
【特許文献１】国際公開第２００９／１２３１９６号公報
【発明の概要】
【発明が解決しようとする課題】
【０００４】
従来の光源装置によれば、光源装置が発生する光発生量を所定の値として照射動作が実施される。このため、光源装置が発生する光の照射角度および照射位置が適切に設定されていないとき、光源装置から発生された光が照射面に適切に照射されないおそれがある。
【０００５】
本発明は、以上の背景をもとに創作されたものであり、光源装置が発生する光が照射面に対して適切に照射されていることを検知可能な光源装置を提供することを目的とする。
【課題を解決するための手段】
【０００６】
（１）第１の手段は、「複数の発光素子を有する光源装置であって、前記光源装置は、駆動部および検知部を有し、前記複数の発光素子は、少なくとも１個の発光受光素子を含み、前記発光受光素子は、前記駆動部からの駆動電流を受けて点灯し、前記発光受光素子は、受光により発生する受光電流を前記検知部に出力する光源装置」を含む。
【０００７】
（２）第２の手段は、「前記光源装置は、切替部を有し、前記切替部は、前記発光受光素子を前記駆動部および前記検知部のいずれかに接続する光源装置」を含む。
（３）第３の手段は、「前記光源装置は、制御部を有し、前記制御部は、前記発光受光素子の前記複数の発光素子の中における位置を決定する光源装置」を含む。
【０００８】
（４）第４の手段は、「前記制御部は、前記検知部が前記発光受光素子の受光電流を検知できないとき、前記複数の発光素子の中における前記発光受光素子の位置を変更する光源装置」を含む。
【０００９】
（５）第５の手段は、「照射面に光を照射する光源装置であって、前記光源装置は、複数の発光受光素子、駆動部、および検知部を有し、前記複数の発光受光素子は、前記駆動部からの駆動電流を受けて点灯する発光動作を行い、前記複数の発光受光素子は、受光により発生する受光電流を前記検知部に出力する受光動作を行い、前記光源装置は、制御部を有し、前記制御部は、前記複数の発光受光素子の少なくとも一部を発光動作させ、前記制御部は、前記複数の発光受光素子の少なくとも一部が発光動作を行なっているとき、前記複数の発光受光素子の少なくとも一部を受光動作させる光源装置」を含む。
【００１０】
（６）第６の手段は、「前記制御部は、前記複数の発光受光素子の発光動作および消灯を周期的に繰り返す制御をおこない、前記制御部は、前記複数の発光受光素子の少なくとも一部の発光動作と複数の発光受光素子の少なくとも一部の受光動作を同期させて制御する光源装置」を含む。
【００１１】
（７）第７の手段は、「前記発光素子は、発光ダイオードであり、前記発光受光素子は、発光受光ダイオードである光源装置」を含む。
（８）第８の手段は、「前記発光受光素子は、発光受光ダイオードである光源装置」を含む。
【発明の効果】
【００１２】
本光源装置は、光源装置が発生する光が照射面に対して適切に照射されていることの検知を可能とする。
【図面の簡単な説明】
【００１３】
【図１】第１実施形態における光源装置の基本構成図であり、（ａ）は発光動作および受光動作の構成、（ｂ）は発光動作の構成。
【図２】第１実施形態における光源装置の構成図。
【図３】第１実施形態における光源装置の光照射フロー。
【図４】第２実施形態における光源装置の構成図。
【図５】第２実施形態における光源部の平面図であり、（ａ）は第１パターンにおける発光ダイオードおよび発光受光ダイオードの配置図、（ｂ）は第２パターンにおける発光ダイオードおよび発光受光ダイオードの配置図。
【図６】第２実施形態における光源部の照射面に対面する発光ダイオードおよび発光受光ダイオードの配置図。
【図７】第３実施形態における光源装置の構成図。
【図８】第３実施形態におけるパルス照射のタイミングチャート。
【図９】第４実施形態における光源装置の構成図。
【図１０】第４実施形態におけるレベル判定部の構成図。
【図１１】第４実施形態におけるレベル判定部の動作波形。
【図１２】第４実施形態における光源装置の光照射フロー。
【図１３】その他の実施形態におけるパルス照射のタイミングチャート。
【発明を実施するための形態】
【００１４】
（第１実施形態）
図１を参照して、育毛作用促進用の光源装置１０の基本構成について説明する。
光源装置１０は、光源部２０を有する。光源部２０は発光素子２１を有する。発光素子２１は、発光素子としての発光ダイオード２１Ａおよび発光受光素子としての発光受光ダイオード２１Ｂを含む。光源装置１０は、駆動部１２および検知部１３を有する。光源部２０の動作は、図１（ａ）および図１（ｂ）に示される２つの基本動作状態を含む。
【００１５】
図１（ａ）は、光源部２０が照射する照射光の一部が、照射面１００から反射する反射光を検知する動作を示している。発光ダイオード２１Ａは、駆動部１２からの駆動電流の供給を受けて、照射面１００に向けて照射光１１０を発する発光動作を行う。発光受光ダイオード２１Ｂは、照射面１００からの反射光１２０を受けて発生する光励起電流を受光電流として検知部１３に出力する受光動作を行う。検知部１３は、発光受光ダイオード２１Ｂからの受光電流を受けて照射面１００からの反射光１２０の量を検知する。検知部１３よる反射光１２０の検知量が所定値よりも大きいとき、検知部１３は、光源部２０からの光が照射面１００に適切に照射されていることを示す検知結果を出力する。このとき、駆動部１２からの発光受光ダイオード２１Ｂに対する駆動電流は、供給が停止されている。照射面１００は、例えば、人体の頭皮１０２（図６参照）である。
【００１６】
図１（ｂ）は、光源部２０が育毛作用を促進するために光照射を行う動作を示している。発光ダイオード２１Ａおよび発光受光ダイオード２１Ｂは、駆動部１２からの駆動電流の供給を受けて、照射面１００に向けて育毛作用促進用の照射光１１０を発生する発光動作を行う。
【００１７】
図２を参照して、育毛作用促進用としての光源装置１０の具体構成について説明する。
光源装置１０は、ハウジング１１の長手方向の一側端面に光を発する光源部２０および保護板２３を有する。保護板２３は、光源部２０を閉塞するように設置される。光源部２０は、発光素子２１を有する。発光素子２１は、複数の発光ダイオード２１Ａおよび複数の発光受光ダイオード２１Ｂを含む。光源装置１０は、駆動部１２、検知部１３、報知部１４、制御部１５、および切替部３０を有する。切替部３０は、Ｃ接点スイッチのリレーであり、入力端子（ａ）、入力端子（ｂ）、共通端子（ｃ）、および制御端子（ｓ）を有する。
【００１８】
発光ダイオード２１Ａおよび発光受光ダイオード２１Ｂが備えるアノード端子（ａ）およびカソード端子（ｋ）は、基板２２に挿入されて実装される。発光ダイオード２１Ａのアノード端子（ａ）は、駆動部１２に接続される。発光受光ダイオード２１Ｂのアノード端子（ａ）は、切替部３０の共通端子（ｃ）に接続される。切替部３０の入力端子（ｂ）は、検知部１３に接続される。切替部３０の共通端子（ｃ）は、制御端子（ｓ）に入力させる切替制御信号のレベルに応じて、入力端子（ａ）または入力端子（ｂ）のいずれか一方に接続される。
【００１９】
光源装置１０の動作を以下に説明する。
発光受光ダイオード２１Ｂが受光動作を行うとき、切替部３０は、制御部１５からの切替制御に応じて共通端子（ｃ）を入力端子（ｂ）に接続する。発光受光ダイオード２１Ｂは、受光動作を行うとき、受光により発生する受光電流を切替部３０を介して検知部１３に出力する。複数の切替部３０の入力端子（ｂ）は共通接続されている。複数の発光受光ダイオード２１Ｂが受光により発生する受光電流は、合算されて検知部１３へ供給される。検知部１３は、複数の発光受光ダイオード２１Ｂから供給される受光電流量を検知する。検知部１３は、複数の発光受光ダイオード２１Ｂからの受光電流量の平均値を検知する。検知部１３は、発光受光ダイオード２１Ｂからの受光電流量の検知結果を制御部１５に出力する。
【００２０】
発光ダイオード２１Ａおよび発光受光ダイオード２１Ｂが発光動作を行うとき、切替部３０は、制御部１５からの切替制御に応じて共通端子（ｃ）を入力端子（ａ）に接続する。発光受光ダイオード２１Ｂのアノード端子（ａ）は、切替部３０を介して駆動部１２に接続される。発光ダイオード２１Ａおよび発光受光ダイオード２１Ｂは、発光動作時に駆動部１２からの電流供給を受けて点灯する。発光ダイオード２１Ａおよび発光受光ダイオード２１Ｂは、育毛作用促進用の光を発する。発光ダイオード２１Ａおよび発光受光ダイオード２１Ｂは、発光動作時に波長が０．７６〜２．５μｍの近赤外光を発する。育毛作用促進用としては、発光ダイオード２１Ａおよび発光受光ダイオード２１Ｂが発する近赤外光は、波長が略１．４５μｍであることが好ましい。光源部２０が発する近赤外光は、保護板２３を透過して照射面１００に照射される。光源部２０が育毛作用促進用の光を発するとき、例えば、照射面１００は、人体の頭皮１０２とされる。
【００２１】
図３を参照して、光源装置１０における光照射フローを説明する。
制御部１５は、光照射の動作が開始されるとステップＳ１１〜ステップＳ１７の処理フローを制御する。
【００２２】
ステップＳ１１において、制御部１５は、切替部３０の共通端子（ｃ）を入力端子（ｂ）に接続する。発光受光ダイオード２１Ｂは、受光動作を行う。ステップＳ１２において、検知部１３は、入力される受光電流の検知動作を開始する。ステップＳ１３において、駆動部１２は、発光ダイオード２１Ａに駆動電流を供給する。発光ダイオード２１Ａは、駆動部１２からの駆動電流を受けて点灯する。
【００２３】
ステップＳ１４において、検知部１３は、発光受光ダイオード２１Ｂからの受光電流量が所定の値よりも大きいかを判定する。発光受光ダイオード２１Ｂからの受光電流量が所定の値よりも小さいとき、ステップＳ１５において、報知部１４は、警告音を発する。光源装置１０の使用者は、報知部１４からの警告音により、光源部２０からの照射光１１０が照射面１００に対して適切に照射されていないことを認識する。使用者は、光源装置１０の照射面１００に対する向き、位置、および光源装置１０と照射面１００との間隔を調整する。ステップＳ１４において、検知部１３は、発光受光ダイオード２１Ｂからの受光電流量が所定の値よりも大きいかを判定する。ステップＳ１４において検知部１３が発光受光ダイオード２１Ｂからの受光電流量が所定の値よりも小さい判定結果を出力している間、制御部１５は、切替部３０の接続状態を維持してステップＳ１４およびステップＳ１５を繰り返す。
【００２４】
ステップＳ１４において、発光受光ダイオード２１Ｂからの受光電流量が所定の値よりも大きいと判定されるとき、ステップＳ１６において、制御部１５は、切替部３０の共通端子（ｃ）を入力端子（ａ）に接続する。駆動部１２は、発光ダイオード２１Ａおよび発光受光ダイオード２１Ｂに駆動電流を供給して点灯させる。光源装置１０は、照射面１００に対して育毛作用促進用の光照射を行う。ステップＳ１７において、制御部１５は、光源装置１０による光照射を継続するかの判定を行う。ステップＳ１７において、光照射を継続すると判定するとき、制御部１５は、所定時間間隔で、ステップＳ１１〜ステップＳ１７を繰り返す。
【００２５】
ステップＳ１７において、近赤外光の照射動作を継続しないと判定されるとき、制御部１５は、光照射フローを終了する。
光源装置１０は、以下の効果を奏する。
【００２６】
（１）光源装置１０は、光源部２０を有する。光源部２０は、発光素子２１を有する。発光素子２１は、複数の発光ダイオード２１Ａおよび複数の発光受光ダイオード２１Ｂを含む。光源装置１０は、駆動部１２、検知部１３、報知部１４、制御部１５、および切替部３０を有する。発光受光ダイオード２１Ｂは、受光により発生する受光電流を切替部３０を介して検知部１３に出力する。検知部１３は、発光受光ダイオード２１Ｂからの受光電流量を検知する。検知部１３は、検知結果を制御部１５に出力する。報知部１４は、検知部１３の検知結果に応じて警報を発する。制御部は、検知部１３の検知結果に応じて発光ダイオード２１Ａおよび発光受光ダイオード２１Ｂを発光させる。この構成によれば、使用者は、光源装置１０が照射する育毛作用促進用の照射光１１０が適切に照射面１００に照射されているかを確認することができる。このため、使用者は、光源装置１０が照射する育毛作用促進用の照射光１１０が適切に照射面１００に照射されるよう光源装置１０の向き、位置、および照射面１００との間隔を調整することができる。このため、使用者は、適切な育毛作用促進効果を受けることができる。
【００２７】
（２）光源装置１０は、光源部２０を有する。光源部２０は、発光素子２１を有する。発光素子２１は、複数の発光ダイオード２１Ａおよび複数の発光受光ダイオード２１Ｂを含む。発光受光ダイオード２１Ｂが受光動作を行うとき、受光により発生する受光電流を切替部３０を介して検知部１３に出力する。発光ダイオード２１Ａおよび発光受光ダイオード２１Ｂが発光動作を行うとき、発光ダイオード２１Ａおよび発光受光ダイオード２１Ｂは、駆動部１２からの電流供給を受けて点灯する。この構成によれば、光源装置１０は、育毛作用促進のために近赤外光を照射する発光受光ダイオード２１Ｂを用いて照射面１００からの反射光１２０を検出することができる。このため、光源部２０が発生する照射光１１０が照射面１００に対して適切に照射されているかを確認することできる光源装置１０は、簡単な構成で実現される。
【００２８】
（第２実施形態）
第２実施形態の光源装置１０は、第１実施形態の光源装置１０と比較して以下の部分において異なる構成を有し、その他の部分において同一の構成を有する。なお、第１実施形態の光源装置１０と共通する構成については同一の符号を付して、その説明の一部または全部を省略する。
【００２９】
第１実施形態の光源装置１０の発光素子２１は、複数の発光ダイオード２１Ａおよび複数の発光受光ダイオード２１Ｂを有する。一方、第２実施形態の光源装置１０の発光素子２１は、複数の発光受光ダイオード２１Ｂを有する。
【００３０】
図４を参照して、育毛作用促進用としての光源装置１０の具体構成について説明する。
光源装置１０は、光源部２０を有する。光源部２０は、発光素子２１を有する。発光素子２１は、複数の発光受光ダイオード２１Ｂを有する。光源装置１０は、マイクロコントローラ１６を有する。マイクロコントローラ１６は、検知部および制御部を含む。
【００３１】
発光受光ダイオード２１Ｂのアノード端子（ａ）は、切替部３０の共通端子（ｃ）に接続される。切替部３０の入力端子（ａ）は、駆動部１２に接続される。切替部３０の入力端子（ｂ）は、マイクロコントローラ１６が備える複数の第１アナログ入力ポート（Ａｉｎ１）に接続される。切替部３０の制御端子（ｓ）は、マイクロコントローラ１６が備える複数のＩ／Ｏポート（Ｉ／Ｏ）に接続される。
【００３２】
発光受光ダイオード２１Ｂが受光動作を行うとき、マイクロコントローラ１６は、Ｉ／Ｏポート（Ｉ／Ｏ）からの制御信号により切替部３０の共通端子（ｃ）を入力端子（ｂ）に接続する制御を行う。マイクロコントローラ１６は、駆動部１２からの発光受光ダイオード２１Ｂに対する駆動電流の供給を停止する制御を行う。受光により発光受光ダイオード２１Ｂが発生する受光電流は、マイクロコントローラ１６の第１アナログ入力ポート（Ａｉｎ１）に供給される。マイクロコントローラ１６は、複数の第１アナログ入力ポート（Ａｉｎ１）に供給される複数の受光電流に対して個別の検知を行うことができる。
【００３３】
発光受光ダイオード２１Ｂが発光動作を行うとき、マイクロコントローラ１６は、Ｉ／Ｏポート（Ｉ／Ｏ）からの制御信号により切替部３０の共通端子（ｃ）を入力端子（ａ）に接続する制御を行う。マイクロコントローラ１６は、駆動部１２から発光受光ダイオード２１Ｂに駆動電流を供給する制御を行う。
【００３４】
図５に発光素子２１の二次元配置を示している。
発光素子２１は基板２２上に格子状に配置される。マイクロコントローラ１６は、切替部３０を制御することにより、複数の発光素子２１のそれぞれを、発光動作のみを行う発光ダイオード２１Ａまたは発光動作および受光動作を行う発光受光ダイオード２１Ｂのいずれかに設定する。マイクロコントローラ１６は、発光動作および受光動作を行う発光受光ダイオード２１Ｂの位置を選択することができる。図５（ａ）に示される第１パターンの例は、奇数列に配置された発光素子２１を発光ダイオード２１Ａとし、偶数列に配置された発光素子２１を発光受光ダイオード２１Ｂとして設定する。図５（ｂ）に示される第２パターンの例は、１行毎に奇数列と偶数列が交互に入替る位置に配置された発光素子２１を発光ダイオード２１Ａまたは発光受光ダイオード２１Ｂとして設定する。図５（ａ）および図５（ｂ）に示される例において、発光受光ダイオード２１Ｂは、発光ダイオード２１Ａに隣接して配置される。発光受光ダイオード２１Ｂと発光ダイオード２１Ａとの隣接間距離は、２〜５ｍｍ程度に設定される。発光受光ダイオード２１Ｂが受光動作を行うとき、隣接して配置された発光ダイオード２１Ａが照射面１００に対して発する照射光１１０の反射光１２０を的確に検知することができる。
【００３５】
マイクロコントローラ１６が選択する受光動作を行う発光受光ダイオード２１Ｂの位置は、図５（ａ）および図５（ｂ）に示される位置パターンの例に限定されない。発光受光ダイオード２１Ｂの位置は、発光ダイオード２１Ａが発する光の反射光１２０を的確に検知することができる位置に設定されるのが望ましい。発光受光ダイオード２１Ｂの位置は、照射面１００の形状に応じて変更される。
【００３６】
図６を参照して、照射面１００の形状に応じた発光受光ダイオード２１Ｂの位置の設定について説明する。
光源部２０は、育毛作用促進を行う頭部１０１の頭皮１０２に対して近赤外線を照射する。発光受光ダイオード２１Ｂの位置は、発光ダイオード２１Ａが対面する部分の頭皮１０２の曲率に応じて選択する。頭部１０１の中央部近傍で曲率が小さい領域の頭皮１０２と対面する部分（Ｌ１）において、マイクロコントローラ１６は、発光ダイオード２１Ａに隣接して発光受光ダイオード２１Ｂを設定する。頭部１０１の端部であり曲率が大きい領域の頭皮１０２と対面する部分（Ｌ２）において、マイクロコントローラ１６は、発光ダイオード２１Ａと離れた位置に発光受光ダイオード２１Ｂを設定する。頭部１０１の端部であり曲率が大きい領域においては、照射光１１０に対する反射光１２０の反射角度が大きくなる。発光ダイオード２１Ａと離れた位置に設定された発光受光ダイオード２１Ｂは、発光ダイオード２１Ａが発する照射光１１０の反射光１２０を的確に検出することができる。
【００３７】
マイクロコントローラ１６は、光源装置１０が近赤外線を照射する可能性のある複数の照射面１００の形状を想定して、複数の発光受光ダイオード２１Ｂの位置パターンの情報を記憶している。マイクロコントローラ１６は、発光ダイオード２１Ａが照射する近赤外線の照射面１００からの反射光１２０を的確に検知できないとき、発光受光ダイオード２１Ｂの位置パターンを変更する。
【００３８】
光源装置１０によれば、第１実施形態の光源装置１０が奏する（１）および（２）と同様の効果を奏する。すなわち、光源装置１０の照射光１１０が適切に照射面１００に照射されているかを確認することができる旨の効果、および照射光１１０が照射面１００に対して適切に照射されているかを確認することできる光源装置１０を簡単な構成で実現することができる旨の効果を奏する。また、光源装置１０は、以下の効果を奏する。
【００３９】
（３）光源装置１０は、発光素子２１、マイクロコントローラ１６、および切替部３０を有する。マイクロコントローラ１６は、検知部および制御部を含む。発光素子２１は、複数の発光受光ダイオード２１Ｂを有する。マイクロコントローラ１６は、切替部３０を制御することにより、複数の発光素子２１のそれぞれを、発光動作のみを行う発光ダイオード２１Ａまたは発光動作および受光動作を行う発光受光ダイオード２１Ｂのいずれかに設定する。マイクロコントローラ１６は、発光動作および受光動作を行う発光受光ダイオード２１Ｂの位置を選択する。この構成によれば、光源装置１０は、発光ダイオード２１Ａの位置に対して発光受光ダイオード２１Ｂを任意の位置に設定することができる。このため、照射面１００の形状に応じて発光受光ダイオード２１Ｂの位置を変更することができる。このため、照射面１００の形状に依存しないで照射光１１０が照射面１００に対して適切に照射されているかを確認することできる。
【００４０】
（４）光源装置１０は、発光受光ダイオード２１Ｂ、マイクロコントローラ１６、および切替部３０を有する。マイクロコントローラ１６は、検知部および制御部を含む。受光により発光受光ダイオード２１Ｂが発生する受光電流は、マイクロコントローラ１６の複数の第１アナログ入力ポート（Ａｉｎ１）に供給される。マイクロコントローラ１６は、複数の第１アナログ入力ポート（Ａｉｎ１）に供給される複数の電流に対して個別の検知を行う。この構成によれば、光源装置１０は、受光により発光受光ダイオード２１Ｂが発生する受光電流の検知において複数の検知基準を設定することができる。このため、光源装置１０が対面する照射面１００の部分毎に形状に応じた検知基準を設定することができる。このため、照射光１１０が照射面１００に対して適切に照射されているかをより正確に確認することできる。
【００４１】
（第３実施形態）
第３実施形態の光源装置１０は、第２実施形態の光源装置１０と比較して以下の部分において異なる構成を有し、その他の部分において同一の構成を有する。なお、第２実施形態の光源装置１０と共通する構成については同一の符号を付して、その説明の一部または全部を省略する。
【００４２】
第２実施形態の光源装置１０は、発光受光ダイオード２１Ｂが駆動部１２に接続される。一方、第３実施形態の光源装置１０は、発光受光ダイオード２１Ｂがパルス発生部１７を介して駆動部１２に接続される。
【００４３】
図７を参照して、育毛作用促進用としての光源装置１０の具体構成について説明する。
光源装置１０は、複数の発光受光ダイオード２１Ｂを有する。複数の発光受光ダイオード２１Ｂのカソード端子（ｋ）は、パルス発生部１７を介して駆動部１２に接続される。パルス発生部１７は、マイクロコントローラ１６に接続される。
【００４４】
図８を用いて、発光受光ダイオード２１Ｂの発光動作および受光動作を説明する。
マイクロコントローラ１６は、複数の発光受光ダイオード２１Ｂを２つのグループに分割して発光動作および受光動作の制御を行う。図８に示されるように、一方のグループの発光受光ダイオード２１Ｂが（ａ）に示される動作行なっているとき、他方のグループの発光受光ダイオード２１Ｂは、（ｂ）に示される動作を行う。一方のグループの発光受光ダイオード２１Ｂが点灯して発光動作を行なっているとき、他方のグループの発光受光ダイオード２１Ｂは、受光動作を行う。一方のグループの発光受光ダイオード２１Ｂが受光動作を行なっているとき、他方のグループの発光受光ダイオード２１Ｂは、点灯して発光動作を行う。
【００４５】
図８に示される発光動作および受光動作は、パルス発生部１７が発生するパルスの周期に基づいて切替えられる。マイクロコントローラ１６は、パルス発生部１７の出力に基づいて駆動部１２および切替部３０の制御を行う。マイクロコントローラ１６は、異なるＩ／Ｏポート（Ｉ／Ｏ）を用いて分割されたグループの制御を行う。パルス発生部１７が発生するパルス周期は、マイクロコントローラ１６により制御される。
【００４６】
図８に示される発光動作および受光動作の切替え周波数を５００Ｈｚとし、デューティ比を５０％とするとき、発光受光ダイオード２１Ｂは、点灯時間および消灯時間がともに１ｍｓとなる。複数の発光受光ダイオード２１Ｂの一方のグループと他方のグループは、点灯時間および消灯時間が同一で半周期ずれた動作を行う。複数の発光受光ダイオード２１Ｂの一方のグループと他方のグループは、半周期ずれたパスル光での近赤外線を育毛作用促進用として照射面１００に照射する。複数の発光受光ダイオード２１Ｂの一方のグループが発光動作を行なっているとき、他方のグループは、一方のグループが発する照射光１１０の照射面１００からの反射光１２０を受光する。
【００４７】
光源装置１０によれば、第１および第２実施形態の光源装置１０が奏する（１）〜（４）と同様の効果を奏する。また、光源装置１０は、以下の効果を奏する。
（５）光源装置１０は、複数の発光受光ダイオード２１Ｂを有する。複数の発光受光ダイオード２１Ｂのカソード端子（ｋ）は、パルス発生部１７を介して駆動部１２に接続される。複数の発光受光ダイオード２１Ｂは、２つのグループに分割されて発光動作および受光動作の制御が行われる。この構成によれば、複数の発光受光ダイオード２１Ｂの一方のグループが近赤外線照射を行なっている間、他方のグループは、受光動作を行う。このため、光源装置１０は、パスル光での近赤外線照射を行なっている間、複数の発光受光ダイオード２１Ｂの一方のグループと他方のグループとで受光動作を交互に継続して行う。このため、使用者は、光源装置１０が近赤外線を照射面１００に照射している間、照射光１１０が適切に照射面１００に照射されているかを確認することができる。
【００４８】
（６）光源装置１０は、複数の発光受光ダイオード２１Ｂを有する。複数の発光受光ダイオード２１Ｂのカソード端子（ｋ）は、パルス発生部１７を介して駆動部１２に接続される。複数の発光受光ダイオード２１Ｂは、２つのグループに分割されて発光動作および受光動作の制御が行われる。この構成によれば、光源装置１０は、パスル光での近赤外線を育毛作用促進用として照射面１００に照射する。このため、使用者は、近赤外線照射による負担の少ない育毛作用促進処置を受けることができる。
【００４９】
（第４実施形態）
第４実施形態の光源装置１０は、第３実施形態の光源装置１０と比較して以下の部分において異なる構成を有し、その他の部分において同一の構成を有する。なお、第３実施形態の光源装置１０と共通する構成については同一の符号を付して、その説明の一部または全部を省略する。
【００５０】
第３実施形態の光源装置１０は、パルス発生部１７を有する。一方、第４実施形態の光源装置１０は、パルス発生部１７に加えレベル判定部４０を有する。
図９を参照して、育毛作用促進用としての光源装置１０の具体構成について説明する。
【００５１】
光源装置１０は、レベル判定部４０を有する。複数の発光受光ダイオード２１Ｂのカソード端子（ｋ）は、レベル判定部４０を介してパルス発生部１７に接続される。レベル判定部４０の判定結果は、マイクロコントローラ１６の第２アナログ入力ポート（Ａｉｎ２）に供給される。
【００５２】
図１０は、レベル判定部４０の回路構成を示している。
レベル判定部４０は、発光受光ダイオード２１Ｂのカソード端子（ｋ）から駆動部１２に流れる電流を電圧に変換した電圧レベルを判定する。レベル判定部４０は、抵抗４１および比較器４２を含む複数のレベル判定回路５０を有する。レベル判定部４０は、判定レベル発生部４３を有する。
【００５３】
レベル判定回路５０は、発光受光ダイオード２１Ｂのカソード端子（ｋ）から駆動部１２に流れる電流を抵抗４１により電圧レベルに変換する。比較器４２は、抵抗４１に発生する電圧レベルを判定レベル発生部４３が発生する判定電圧（ＶＲ）と比較する。比較器４２は、電圧レベルの比較結果を判定結果としてマイクロコントローラ１６に出力する。
【００５４】
図１１は、レベル判定部４０が判定する電圧レベルの波形を示している。
マイクロコントローラ１６は、複数の発光受光ダイオード２１Ｂを２つのグループに分割して発光動作および受光動作の制御を行う。マイクロコントローラ１６は、パルス発生部１７が発生するパスル波形（ａ）に基づいて切替部３０を切替える。発光受光ダイオード２１Ｂの一方のグループが発光動作を行なうとき、発光受光ダイオード２１Ｂの他方のグループは受光動作を行う。
【００５５】
発光受光ダイオード２１Ｂの一方のグループは、（ｂ）に示される点灯動作および消灯動作を行う。発光受光ダイオード２１Ｂの一方のグループに接続されるレベル判定回路５０の抵抗４１が発生する電圧は、（ｂ）に示される波形となる。発光受光ダイオード２１Ｂの他方のグループの点灯動作および消灯動作、およびレベル判定回路５０の抵抗４１が発生する電圧は（ｄ）に示されるようになる。
【００５６】
パルス発生部１７が発生するパスル波形（ａ）は，タイミングｔ１０、ｔ２０、およびｔ３０で切り替る。マイクロコントローラ１６は、タイミングｔ１０において、発光受光ダイオード２１Ｂの一方のグループに対する駆動部１２からの駆動電流の供給を停止する。レベル判定回路５０の抵抗４１に発生する電圧レベルは、減衰曲線を描きながら減少する。
【００５７】
判定レベル発生部４３は、抵抗４１に発生する電圧レベルが所定の値以下に減衰したことの判定に用いる判定電圧（ＶＲ）を発生する。発光受光ダイオード２１Ｂの一方のグループに接続されるレベル判定回路５０の出力波形を（ｃ）に示している。レベル判定回路５０の比較器４２は、抵抗４１に発生する電圧レベルが判定電圧（ＶＲ）よりも低くなったことを判定したとき、（ｃ）に示されるようにローレベルを出力する。
【００５８】
マイクロコントローラ１６は、レベル判定回路５０の比較器４２の出力がローレベルとなるタイミングｔ１１で他方のグループの発光受光ダイオード２１Ｂに駆動電流を供給するよう駆動部１２を制御する。マイクロコントローラ１６は、内蔵する判定部で受光動作を行う発光受光ダイオード２１Ｂの受光電流の大きさを判定する。
【００５９】
図１２を参照して、光源装置１０における光照射フローを説明する。
マイクロコントローラ１６は、光照射の動作が開始されるとステップＳ２１〜ステップＳ２９の処理フローを制御する。
【００６０】
ステップＳ２１において、マイクロコントローラ１６は、切替部３０を制御して受光動作を行う発光受光ダイオード２１Ｂを選択してマイクロコントローラ１６の第１アナログ入力ポート（Ａｉｎ１）に接続する。発光受光ダイオード２１Ｂは、受光動作を行う。ステップＳ２２において、マイクロコントローラ１６は、内蔵された検知部を用いて第１アナログ入力ポート（Ａｉｎ１）に入力される受光電流の検知動作を開始する。ステップＳ２３において、駆動部１２は、発光ダイオード２１Ａに駆動電流を供給する。発光ダイオード２１Ａは、駆動部１２からの駆動電流を受けて点灯する。光源装置１０は、照射面１００に対して育毛作用促進用の光を発する。
【００６１】
ステップＳ２４において、マイクロコントローラ１６は、発光受光ダイオード２１Ｂからの受光電流量が所定の値よりも大きいかを内蔵された検知部を用いて判定する。発光受光ダイオード２１Ｂからの受光電流量が所定の値よりも小さいとき、ステップＳ２５において、報知部１４は、警告音を発する。光源装置１０の使用者は、報知部１４からの警告音により、光源部２０からの照射光１１０が照射面１００に対して適切に照射されていないことを認識する。使用者は、光源装置１０の照射面１００に対する向き、位置、および光源装置１０と照射面１００との間隔を調整する。ステップＳ２４において、マイクロコントローラ１６は、発光受光ダイオード２１Ｂからの受光電流量を所定の値よりも大きいかを内蔵された検知部を用いて判定する。
【００６２】
ステップＳ２４において、発光受光ダイオード２１Ｂからの受光電流量が所定の値よりも大きいとき、ステップＳ２６において、マイクロコントローラ１６は、パルス発生部１７が発生するパルスが変化したかを判定する。ステップＳ２６の判定において、パルス発生部１７が発生するパルスが変化していないとき、マイクロコントローラ１６は、ステップＳ２４〜ステップＳ２６を繰り返す。
【００６３】
ステップＳ２６において、パルス発生部１７が発生するパルスが変化したと判定されたとき、ステップＳ２７において、マイクロコントローラ１６は、切替部３０を制御し受光動作を行う発光受光ダイオード２１Ｂのグループを切替える。駆動部１２は、発光ダイオード２１Ａへの駆動電流を停止する。
【００６４】
ステップＳ２８において、レベル判定部４０は、レベル判定回路５０の抵抗４１に発生する電圧が判定電圧以下まで減衰したかを判定する。ステップＳ２８において、レベル判定回路５０の抵抗４１に発生する電圧が判定電圧以下まで減衰していないとき、マイクロコントローラ１６は、ステップＳ２８を繰り返す。ステップＳ２８において、レベル判定回路５０の抵抗４１に発生する電圧が判定電圧以下まで減衰したと判定されるとき、ステップＳ２９において、マイクロコントローラ１６は、光源装置１０による光照射動作を継続するかの判定を行う。ステップＳ２８において光照射動作を継続するとき、マイクロコントローラ１６は、ステップＳ２１〜ステップＳ２８を繰り返す。
【００６５】
ステップＳ２８において光照射動作を継続しないと判定されるとき、マイクロコントローラ１６は、光照射フローを終了する。
光源装置１０によれば、第１〜第３実施形態の光源装置１０が奏する（１）〜（６）と同様の効果を奏する。また、光源装置１０は、以下の効果を奏する。
【００６６】
（７）光源装置１０は、パルス発生部１７およびレベル判定部４０を有する。レベル判定部４０は、抵抗４１および比較器４２を含む複数のレベル判定回路５０を有する。レベル判定部４０は、判定レベル発生部４３を有する。抵抗４１は、発光受光ダイオード２１Ｂのカソード端子（ｋ）から駆動部１２に流れる電流を電圧に変換した電圧レベルを発生する。比較器４２は、抵抗４１が発生する電圧レベルと判定レベル発生部４３が発生する判定レベルとを比較する。発光受光ダイオード２１Ｂが発光動作から受光動作に切り替るとき、比較器４２は、発光受光ダイオード２１Ｂからの電流が所定の値以下に減衰したことを判定する。マイクロコントローラ１６は、レベル判定部４０の判定結果に基づいて駆動部１２および内蔵する判定部を制御する。この構成によれば、マイクロコントローラ１６が内蔵する検知部は、発光動作を行った発光受光ダイオード２１Ｂの電流の影響が排除されたタイミングで発光受光ダイオード２１Ｂの受光電流を検知することができる。このため、マイクロコントローラ１６が内蔵する検知部は、受光動作を行う発光受光ダイオード２１Ｂの受光電流を精度良く検知することができる。このため、使用者は、照射光１１０が照射面１００に対して適切に照射されているかをより正確に確認することできる。
【００６７】
（その他の実施形態）
本光源装置は、第１〜第４実施形態以外の実施形態を含む。以下、本光源装置のその他の実施形態としての第１〜第４実施形態の変形例を示す。なお、以下の各変形例は、互いに組み合わせることもできる。
【００６８】
・第３実施形態の光源装置１０は、パルス発生部１７がデューティー比５０％のパルスを発生する。ただし、光源装置１０の構成は、第３実施形態に例示された内容に限られない。例えば、変形例の光源装置１０は、パルス発生部１７がバーストパルスを発生する。
【００６９】
パルス発生部１７は、図１３に示されるバーストパルスを発生する。分割された複数の発光受光ダイオード２１Ｂの一方のグループおよび他方のグループは、（ａ）および（ｂ）に示される動作を行う。光源装置１０は、１ｍｓ内で３回の点灯と消灯を繰り返す。図８に示されるデューティー比５０％のパルスの場合と発光光量を等しくするには、駆動部１２は、発光受光ダイオード２１Ｂに供給する駆動電流を変更する。
【００７０】
・第１〜第４実施形態の光源装置１０は、切替部３０がＣ接点スイッチのリレーで構成される。ただし、光源装置１０の構成は、第１〜第４実施形態に例示された内容に限られない。例えば、変形例の光源装置１０は、切替部３０がトランジスタを有する半導体スイッチで構成される。または、その他の形態のスイッチで構成される。
【００７１】
・第２〜第４実施形態の光源装置１０は、マイクロコントローラ１６のＩ／Ｏポート（Ｉ／Ｏ）が切替部３０を駆動する。ただし、光源装置１０の構成は、第２〜第４実施形態に例示された内容に限られない。例えば、変形例の光源装置１０は、マイクロコントローラ１６のＩ／Ｏポート（Ｉ／Ｏ）からの制御信号を受けたトランジスタが切替部３０を駆動する。
【００７２】
・第１実施形態の光源装置１０は、検知部１３が複数の発光受光ダイオード２１Ｂからの受光電流量の平均値を検知する。ただし、光源装置１０の構成は、第１実施形態に例示された内容に限られない。例えば、変形例の光源装置１０は、検知部１３が複数の発光受光ダイオード２１Ｂからの受光電流量の最大値を検知する。この変形例の光源装置１０の構成によれば、発光ダイオード２１Ａが短期間のパルス発光である場合にも検知することができる。
【００７３】
・第１実施形態の光源装置１０は、検知部１３が複数の発光受光ダイオード２１Ｂからの受光電流量の平均値を検知する。ただし、光源装置１０の構成は、第１実施形態に例示された内容に限られない。例えば、変形例の光源装置１０は、検知部１３が複数の発光受光ダイオード２１Ｂからの受光電流の総電流量を検知する。この変形例の光源装置１０の構成によれば、発光ダイオード２１Ａの発光形態に依存しない検知を行うことができる。
【００７４】
・第１〜第４実施形態の光源装置１０は、報知部１４が警告音を発する。ただし、光源装置１０の構成は、第１〜第４実施形態に例示された内容に限られない。例えば、変形例の光源装置１０は、報知部が警告表示を行う。
【００７５】
（課題を解決するための手段に関する付記）
課題を解決するための手段は、下記の付記手段のとおり記述することもできる。
（１）付記手段１は、「前記検知部は、前記発光受光素子が受光により発生する受光電流の最大値を検知する光源装置」を含む。
【００７６】
（２）付記手段２は、「前記検知部は、前記発光受光素子が受光により発生する受光電流の総電流量を検知する光源装置」を含む。
【符号の説明】
【００７７】
１０…光源装置、１２…駆動部、１３…検知部、１５…制御部、１６…マイクロコントローラ、２１…発光素子、２１Ａ…発光ダイオード、２１Ｂ…発光受光ダイオード、３０…切替部、１００…照射面。
【図１】
2014090795.tif 000003
【図２】
2014090795.tif 000004
【図３】
2014090795.tif 000005
【図４】
2014090795.tif 000006
【図５】
2014090795.tif 000007
【図６】
2014090795.tif 000008
【図７】
2014090795.tif 000009
【図８】
2014090795.tif 000010
【図９】
2014090795.tif 000011
【図１０】
2014090795.tif 000012
【図１１】
2014090795.tif 000013
【図１２】
2014090795.tif 000014
【図１３】
2014090795.tif 000015